(57)【要約】【課題】ダンパ装置を備えた便座ユニットにおいて、当該ダンパ装置の回動軸にかかる負荷を低減することを目的とする。【解決手段】便器９０に対して回動自在である便座部材１０と、回動軸２１、２２およびこの回動に抵抗を与える抵抗付加手段を有するダンパ装置２０とを備え、回動軸２１、２２が便座部材１０に係合されている、便座ユニット１とする。便座部材１０に係合されている回動軸２１、２２は二以上であるとよい。便座部材１０は、座部１１と本体部１２が一体的に構成されているものであるとよい。【選択図】図３
2015221156.tif 000002
【特許請求の範囲】
【請求項１】
便器に対して回動自在である便座部材と、
回動軸および当該回動軸の回動に抵抗を与える抵抗付加手段を有するダンパ装置と、
を備え、
前記回動軸が、前記便座部材に係合されている、便座ユニット。
【請求項２】
前記回動軸は、二以上の回動軸であり、
前記二以上の回動軸が、前記便座部材に係合されている、請求項１に記載の便座ユニット。
【請求項３】
前記便座部材は、座部および各種部品が収容される本体部が一体的に構成されたものである、請求項１または請求項２に記載の便座ユニット。
【発明の詳細な説明】
【技術分野】
【０００１】
本発明は、ダンパ装置を備えた便座ユニットに関する。
【背景技術】
【０００２】
下記特許文献１には、閉方向に回動する便蓋や便座の勢いを低下させるためのダンパ装置が記載されている。かかるダンパ装置は、便蓋に接続される回動軸および便座に接続される回動軸を有する。
【０００３】
一方、下記特許文献２には、便座の座部（用を足す者が着座する部分）と各種部材が収容される本体部が一体化された装置（本体一体型の便座）が記載されている。
【先行技術文献】
【特許文献】
【０００４】
【特許文献１】特開２００４−３０８８０４公報
【特許文献２】特開２００６−３７４０９号公報
【発明の概要】
【発明が解決しようとする課題】
【０００５】
従来のダンパ装置を備える便座ユニットでは、ダンパ装置の回動軸にかかる負荷が大きくなって、回動軸が破損してしまうおそれがある。特に、上記特許文献２に記載されるような本体一体型の便座のように、便座の重量が大きくなるとそのおそれが高まってしまう。
【０００６】
本発明は、ダンパ装置を備えた便座ユニットにおいて、当該ダンパ装置の回動軸にかかる負荷を低減することを目的とする。
【課題を解決するための手段】
【０００７】
上記課題を解決するため本発明にかかる便座ユニットは、便器に対して回動自在である便座部材と、回動軸および当該回動軸の回動に抵抗を与える抵抗付加手段を有するダンパ装置と、を備え、前記回動軸が、前記便座部材に係合されているものである。
【０００８】
前記回動軸は、二以上の回動軸であり、前記二以上の回動軸が、前記便座部材に係合されているとよい。
【０００９】
前記便座部材は、座部および各種部品が収容される本体部が一体的に構成されたものであるとよい。
【発明の効果】
【００１０】
本発明にかかる便座ユニットによれば、ダンパ装置の回動軸にかかる負荷を低減することができる。
【００１１】
また、ダンパ装置が有する複数の回動軸のうちの二以上の回動軸が便座部材に係合された構成とすれば、便座部材が回動する際に各回動軸にかかる負荷が分散される。つまり、一の回動軸にかかる負荷が小さくなるから、回動軸の破損、変形等が防止される。
【００１２】
上記構成は、座部と各種部品が収容される本体部が一体的に構成され、便座部材全体の重量が大きくなる便座ユニットに対して特に有効である。
【図面の簡単な説明】
【００１３】
【図１】本発明の一実施形態にかかる便座ユニットの平面図である。
【図２】本発明の一実施形態にかかる便座ユニットが備えるダンパ装置の分解斜視図である。
【図３】本発明の一実施形態にかかる便座ユニットが備えるダンパ装置の断面図である。
【図４】高抵抗状態にあるダンパ装置の断面図である。
【図５】低抵抗状態にあるダンパ装置の断面図である。
【図６】付勢部材の付勢力に抗して第一ローラが第二ローラを乗り越える様子を順に示した図である。
【発明を実施するための形態】
【００１４】
以下、本発明の一実施形態にかかる便座ユニット１について詳細に説明する。なお、以下の説明における前後方向とは図１における上下方向（下側を前とする）をいい、幅方向（後述するように、便座部材１０や第一回動軸２１、第二回動軸２２の回動軸方向である）とは図１における左右方向をいい、上下方向（重力方向）とは上下方向および幅方向に直交する方向をいうものとする。また、径方向とは幅方向に沿う軸である便座部材１０や第一回動軸２１、第二回動軸２２の回動軸を中心とする円の径方向をいい、周方向とは便座部材１０や第一回動軸２１、第二回動軸２２の回動方向に沿う方向をいうものとする。
【００１５】
図１に示す本実施形態にかかる便座ユニット１は、便座部材１０およびダンパ装置２０を備える。便座部材１０は、座部１１およびこの座部１１と一体的に構成された本体部１２を有する。座部１１は、用を足そうとする者が着座する部分である。本体部１２は、座部１１の後方に設けられた、内側に所定の大きさの空間が形成された部分である。当該本体部１２内には、各種部材（図示略）が収容される。例えば、人体の局部を洗浄する人体局部洗浄装置や、当該装置に水を供給する配管等が収容される（この種の本体一体型の便座については上述した特許文献２等を参照）。かかる便座部材１０は、便器９０に対して回動自在である。本実施形態では、便座部材１０は、便器９０の後方に固定されるベース部材９１に対して回動自在に接続されている。ベース部材９１に対する便座部材１０の接続構造は公知のものが適用できるから説明を省略する。
【００１６】
ダンパ装置２０は、便器９０に直接または間接的に固定されている。本実施形態では、ベース部材９１にダンパ装置２０が固定されている。ダンパ装置２０は、複数の回動軸と、各回動軸の回動に抵抗を与える抵抗付加手段を有する。図２および図３に詳細を示す本実施形態におけるダンパ装置２０は、第一回動軸２１および第二回動軸２２と、第一回動軸２１の回動に抵抗を与える第一抵抗付加手段および第二回動軸２２の回動に抵抗を与える第二抵抗付加手段を有する。
【００１７】
第一回動軸２１は、その回動中心軸が幅方向に沿うように設けられる軸であって、鍔部２１１および軸部２１３を有する。軸部２１３の先端（鍔部２１１の反対側）には、軸連結用Ｄカット面２１４が形成されている。第二回動軸２２は、その回動中心軸が幅方向に沿うように設けられる筒状の部材である。当該筒の内側の空間の大きさ（内径）は、第一回動軸２１の軸部２１３が通過可能な大きさ、かつ第一回動軸２１の鍔部２１１が通過不可能な大きさに形成されている。第一回動軸２１の軸部２１３における軸連結用Ｄカット面２１４が形成されている部分よりも基端側は、第二回動軸２２の内側の空間に通されている。したがって、第一回動軸２１と第二回動軸２２は互いに独立して回動しうる。
【００１８】
また、第一回動軸２１の先端側には、連結軸２３が設けられている。連結軸２３は、筒状の部材であって、その内側には断面形状が第一回動軸２１の軸連結用Ｄカット面２１４が形成された部分の断面形状と略同じである空間が形成されている。第一回動軸２１の軸連結用Ｄカット面２１４が形成された部分はかかる空間内に挿入されている。したがって、第一回動軸２１が回動するとそれとともに連結軸２３も回動する。
【００１９】
ダンパ装置２０は、その外郭を構成するケース部材として第一ケース部材２４および第二ケース部材２６を有する。第一ケース部材２４は、第一回動軸２１の基端側に向かって開口した部材である。当該第一ケース部材２４の開口は、第一キャップ部材２５により封鎖されている。第一ケース部材２４と第一キャップ部材２５によって形成された空間（以下第一空間と称する）内には、第一回動軸２１と一体的に回動する連結軸２３が位置している。
【００２０】
第一空間内には流体（本実施形態ではオイル）が充填されている。なお、詳細な説明は省略するが、第一空間に充填されたオイルが外部に漏れないようにするためのシール部材（Ｏリング等）が適宜設けられる。連結軸２３の外側には、第一弁体２８が設けられている。本実施形態では、周方向において、互いに略１８０度離れた位置に二つの第一弁体２８が設けられている。このように、第一空間内に充填された流体（オイル）と、第一回動軸２１と一体的に回動する連結軸２３の外側に設けられた第一弁体２８によって、第一抵抗付加手段が構成される。
【００２１】
第二ケース部材２６は、第一ケース部材２４よりも第一回動軸２１の基端側に設けられた部材である。第二ケース部材２６は、軸方向両側が開口している。第一ケース部材２４における第一回動軸２１の先端側に向かう開口は、第二キャップ部材２７により封鎖されている。第二ケース部材２６と第二キャップ部材２７によって形成された空間（以下第二空間と称する）内には、第二回動軸２２の中央部２２４が位置している。
【００２２】
第二ケース部材２６における第一回動軸２１の基端側に向かう開口を通じて、第一回動軸２１の鍔部２１１および第二回動軸２２の一部がケース外に露出している（第二回動軸２２における露出した部分を突出部２２１と称する）。第一回動軸２１の鍔部２１１と第二回動軸２２の突出部２２１は、その外形が同じであり、軸方向に沿って並ぶ。本実施形態では、鍔部２１１に第一便座接続用Ｄカット面２１２が形成され、突出部２２１に第二便座接続用Ｄカット面２２２が形成されている。鍔部２１１および突出部２２１においてかかる便座接続用Ｄカット面が形成される位置は同じである。つまり、第一便座接続用Ｄカット面２１２と第二便座接続用Ｄカット面２２２は、一続きの平面を構築する。
【００２３】
本実施形態では、第一便座接続用Ｄカット面２１２と第二便座接続用Ｄカット面２２２が便座部材１０に係合されている（図３等参照）。具体的には、便座部材１０に形成された係合穴１３（貫通、非貫通を問わない）の内周面には、第一便座接続用Ｄカット面２１２および第二便座接続用Ｄカット面２２２と対向するＤカット面が形成されており、かかるＤカット面同士の対向により、便座部材１０の回動が第一回動軸２１や第二回動軸２２に伝わることとなる。このように、本実施形態では、第一回動軸２１と第二回動軸２２は、互いに直接連結されておらず、それぞれが便座部材１０に係合されている。
【００２４】
第二空間内には流体（本実施形態ではオイル）が充填されている。なお、詳細な説明は省略するが、第二空間に充填されたオイルが外部に漏れないようにするためのシール部材（Ｏリング等）が適宜設けられる。第二回動軸２２の中央部２２４の外側には、第二弁体２９が設けられている。本実施形態では、周方向において、互いに略１８０度離れた位置に二つの第二弁体２９が設けられている。このように、第二空間内に充填された流体（オイル）と、第二回動軸２２の外側に設けられた第二弁体２９によって、第二抵抗付加手段が構成される。
【００２５】
第一抵抗付加手段と第二抵抗付加手段の具体的な構造について説明する。なお、両抵抗付加手段の基本的な構造は同じであるため、両者をまとめて説明する。第二回動軸２２の中央部２２４の外側や連結軸２３の外側には、径方向外側に向かって突出した弁部４１およびガイド部４２が形成されている。弁部４１の先端の中央には凹状に窪んだオリフィス４１１が形成されている。ガイド部４２は、軸方向両側から突出した突起である。
【００２６】
第一弁体２８および第二弁体２９は、それぞれ、弧状部５１、封鎖部５２、および被ガイド部５３を有する。弧状部５１は、その外面が第一ケース部材２４や第二ケース部材２６の内面と微小な隙間を隔てて対向する。封鎖部５２は、弧状部５１から径方向内側に向かって突出した突起である。その突出高さは、上記オリフィス４１１の窪みの高さよりも大きい。被ガイド部５３は、弧状部５１から径方向内側に向かって突出した二つの突起であり、上記ガイド部４２の内側に嵌まり込んでいる。各被ガイド部５３の軸方向外側の面は、ガイド部４２の軸方向内側の面に接触する。
【００２７】
第一空間および第二空間は、第一ケース部材２４および第二ケース部材２６に形成された仕切壁６０によって二つの空間に仕切られている。各空間内に弁部４１やガイド部４２、弁体が位置する。
【００２８】
第二回動軸２２や連結軸２３（第一回動軸２１）が一方に回動すると、図４に示すように空間内に充填されたオイルの圧力によって封鎖部５２が押され、当該封鎖部５２が弁部４１（オリフィス４１１）に近づく方向に弁体が移動する。弁体は、その被ガイド部５３がガイド部４２に誘導されながら周方向に移動する。封鎖部５２が弁部４１に密着すると、封鎖部５２によってオリフィス４１１が塞がれる。つまり、かかる状態となると、オイルは弁体の弧状部５１とケース部材の内周面との隙間等から周方向における弁部４１の一方側の空間から他方側の空間へ移動するしかなくなる。つまり、第二回動軸２２や連結軸２３（第一回動軸２１）の回動に対する抵抗力が相対的に高い高抵抗状態となる。
【００２９】
第二回動軸２２や連結軸２３（第一回動軸２１）が他方に回動すると、図５に示すように空間内に充填されたオイルの圧力によって封鎖部５２が押され、当該封鎖部５２が弁部４１（オリフィス４１１）から離れる方向に弁体が移動する。したがって、オイルは、弁部４１の一方側の空間から他方側の空間へオリフィス４１１を通じて移動可能な状態となる。したがって、第二回動軸２２や連結軸２３（第一回動軸２１）の回動に対する抵抗力が相対的に低い低抵抗状態となる。
【００３０】
第一キャップ部材２５と第二キャップ部材２７の間には、便座部材１０を回動させたときにクリック感を発生させるためのクリック感発生手段が構築されている。クリック感発生手段は、二つのローラ（第一ローラ３１、第二ローラ３２）および付勢部材３０を有する。
【００３１】
二種類のローラのうちの一方である第一ローラ３１は、第二回動軸２２における突出部２２１の反対側に係合している。具体的には、第二回動軸２２には、断面略半円状の溝である第一ローラ係合部２２３が形成されており、当該溝に第一ローラ３１が嵌まり込んでいる。本実施形態では、周方向において互いに略１８０度離れた位置に二つの第一ローラ係合部２２３が形成されており、各第一ローラ係合部２２３に第一ローラ３１が嵌まり込んでいる。
【００３２】
二種類のローラのうちの他方である第二ローラ３２は、第二キャップ部材２７に形成された第二ローラ係合部２７１に係合している。第二ローラ係合部２７１は、第一キャップ部材２５側に形成されている。つまり、第二ローラ３２は、第一キャップ部材２５と第二キャップ部材２７の間に位置する。第二キャップ部材２７には、断面略半円状の溝である第二ローラ係合部２７１が形成されており、当該第二ローラ係合部２７１に第二ローラ３２が嵌まり込んでいる。本実施形態では、周方向において互いに略１８０度離れた位置に二つの第二ローラ係合部２７１が形成されており、各第二ローラ係合部２７１に第二ローラ３２が嵌まり込んでいる。断面略半円状の溝である第二ローラ係合部２７１は、その底側の一部が径方向に貫通している。当該第二ローラ係合部２７１に嵌まり込む第二ローラ３２は、当該貫通孔を通じてその一部が第二キャップ部材２７の内側に露出している。第二キャップ部材２７の内側には、第二回動軸２２に形成された第一ローラ係合部２２３およびそれに係合された第一ローラ３１が位置している。
【００３３】
第二ローラ３２の外側には、付勢部材３０が設けられている。付勢部材３０は、第二ローラ３２を径方向内側に向かって付勢する。つまり、付勢部材３０によって、第二ローラ３２は第二ローラ係合部２７１に押し付けられた状態にある。当該状態において、第二ローラ３２の径方向内側端部は、第一ローラ３１の径方向外側端部よりも径方向内側に位置する。したがって、第二回動軸２２が回動し、第一ローラ３１と第二ローラ３２の周方向位置が一致したとき、第一ローラ３１と第二ローラ３２が接触する。したがって、第二回動軸２２を回動させる際には、第一ローラ３１（第二ローラ３２）が付勢部材３０の付勢力に抗して第二ローラ３２（第一ローラ３１）を乗り越える必要がある（図６参照）。
【００３４】
本実施形態にかかる便座ユニット１が上記ダンパ装置２０を備えることによる作用について、一部上記説明と重複するが以下説明する。便座部材１０を閉位置（座部１１が使用可能な位置）に向かって（下方に向かって）回動させると、その回動は便座部材１０に係合されている第一回動軸２１および第二回動軸２２に伝わる。第一回動軸２１が回動すると、それに係合されている連結軸２３が回動する。便座部材１０を閉位置に向かって回動させることによって第二回動軸２２や連結軸２３が回動すると、封鎖部５２がオリフィス４１１を封鎖する方向に弁体が移動する（図４参照）。つまり、第一抵抗付加手段によって回動する第一回動軸２１に対して付加される抵抗力、第二抵抗付加手段によって回動する第二回動軸２２に対して付加される抵抗力が相対的に高い高抵抗状態となる。このような抵抗力が発生するため、第一回動軸２１および第二回動軸２２に係合された便座部材１０は、閉方向にゆっくり移動する。つまり、便座部材１０が便器９０に勢いよく当たってしまうこと等が防止される。
【００３５】
本実施形態では、第一回動軸２１と第二回動軸２２は、直接連結されておらず、それぞれが便座部材１０に係合されている。したがって、抵抗付加手段から回動を妨げる方向への抵抗力を受ける回動軸にかかる負荷は、第一回動軸２１（連結軸２３）と第二回動軸２２に分散される。つまり、便座部材１０に接続される回動軸が一つである従来型のダンパ装置２０と比較し、一の回動軸にかかる負荷が低減され、回動軸の破損、変形等が防止される。回動軸の強度を高めるために回動軸を大きくする（装置を大型化する）必要もない。
【００３６】
特に、本実施形態にかかる便座部材１０は、人体の局部を洗浄する人体局部洗浄装置や、当該装置に水を供給する配管等が収容される本体部１２が一体的に構成されたものであるから、重量が大きく、ダンパ装置２０の回動軸にかかる負荷が大きくなる。本実施形態にかかる技術思想は、このような回動軸にかかる負荷を分散させることができる点で有効である。
【００３７】
便座部材１０を開位置（座部１１を使用しない位置）に向かって（上方に向かって）回動させると、その回動は便座部材１０に係合されている第一回動軸２１および第二回動軸２２に伝わる。第一回動軸２１が回動すると、それに係合されている連結軸２３が回動する。便座部材１０を閉位置に向かって回動させることによって第二回動軸２２や連結軸２３が回動すると、封鎖部５２がオリフィス４１１から離れる方向に弁体が移動する（図５参照）。つまり、第一抵抗付加手段によって回動する第一回動軸２１に対して付加される抵抗力、第二抵抗付加手段によって回動する第二回動軸２２に対して付加される抵抗力が相対的に低い低抵抗状態となる。このように、便座部材１０を開位置に向かって回動させる際には、両回動軸にかかる抵抗力は小さいため、小さな力で便座部材１０を回動させることができる。
【００３８】
また、上述したように、本実施形態におけるダンパ装置２０にはクリック感発生手段が設けられているため、便座部材１０を回動させる際にはクリック感が発生する。便座部材１０を回動させると、第二回動軸２２が回動する。第二回動軸２２が回動すると、第二回動軸２２に形成された第一ローラ係合部２２３に係合している第一ローラ３１が周方向に変位する。第一ローラ３１が第二ローラ３２に接触すると、付勢部材３０の付勢力に抗して第一ローラ３１が第二ローラ３２を乗り越える（図６参照）。この第一ローラ３１が第二ローラ３２を乗り越える際にクリック感が発生する。また、第一ローラ３１が第二ローラ３２を乗り越える際には、付勢部材３０の付勢力を超える力が必要であることから、便座部材１０が重力によって閉位置に移動してしまうことも防止される。つまり、クリック感発生手段は、便座部材１０を閉位置と開位置との間の途中位置で保持させておく効果も発現する。
【００３９】
以上、本発明の実施形態について詳細に説明したが、本発明は上記実施形態に何ら限定されるものではなく、本発明の要旨を逸脱しない範囲で種々の改変が可能である。
【００４０】
上記実施形態にかかる便座ユニット１が備えるダンパ装置２０は、第一回動軸２１および第二回動軸２２という二つの回動軸を有するものであることを説明したが、三つ以上の回動軸を有するものであってもよい。互いに連結されていない三つ以上の回動軸を有し、それぞれが便座部材１０に係合された構成とすれば、回動軸それぞれにかかる負荷をさらに低減することができる。また、三つ以上の回動軸を有するダンパ装置を用い、そのうちの二以上の回動軸を便座部材１０に係合させた構造としてもよい。この場合、便座部材１０に係合させない回動軸を比較的軽量な便蓋に係合させることで、便蓋の閉位置への移動がゆっくりなされるようにしてもよい。
【００４１】
また、ダンパ装置２０は、第一回動軸２１と第二回動軸２２とを一体成形するか、あるいは別途用意した締結部材を用いて回転方向および／または軸方向に第一回動軸２１と第二回動軸２２とが相対移動しないように第一回動軸２１と第二回動軸とを締結固定してもよい。これにより、便座部材１０の閉位置への回動荷重を第一抵抗付加手段と第二抵抗付加手段とへ、より正確に均等に分散させ、第一抵抗付加手段と第二抵抗付加手段を壊れにくくすることができる。
【符号の説明】
【００４２】
１  便座ユニット
１０  便座部材
１１  座部
１２  本体部
１３  係合穴
２０  ダンパ装置
２１  第一回動軸
２２  第二回動軸
２３  連結軸
２４  第一ケース部材
２５  第一キャップ部材
２６  第二ケース部材
２７  第二キャップ部材
２８  第一弁体
２９  第二弁体
４１  弁部
４１１  オリフィス
４２  ガイド部
５１  弧状部
５２  封鎖部
５３  被ガイド部
９０  便器
【図１】
2015221156.tif 000003
【図２】
2015221156.tif 000004
【図３】
2015221156.tif 000005
【図４】
2015221156.tif 000006
【図５】
2015221156.tif 000007
【図６】
2015221156.tif 000008